(57)【特許請求の範囲】
【請求項１】
紙幣を搬送する搬送路と、
前記搬送路を形成し、前記搬送路に対して回転支点を中心に開閉可能に設けられた搬送ガイドと、
前記搬送路上の紙幣を移動させる操作ノブと、
開閉機構を有し、前記搬送ガイドを前記回転支点を中心に開くことにより形成された開口部から前記回転支点に向かう方向に設けられた構成要素と、を備え、
前記操作ノブは、前記開口部から前記回転支点に向かう方向にのみ紙幣を移動可能に設けられ、
前記構成要素を開作動させることにより紙幣の除去を可能にしたことを特徴とする紙幣取扱装置。
【請求項２】
請求項１に記載の紙幣取扱装置において、
前記開閉機構を有する構成要素は、鑑別部であることを特徴とする紙幣取扱装置。
【請求項３】
請求項１または請求項２に記載の紙幣取扱装置において、
前記搬送ガイドの前記回転支点は、搬送される紙幣の面に沿った紙幣搬送方向の直交方向に設けられていることを特徴とする紙幣取扱装置。
【請求項４】
操作者が投入した紙幣を受け入れ、操作者に支払う紙幣を集積する入出金部と、
前記入出金部から受け入れた紙幣、および支払うべき紙幣を鑑別する鑑別部と、
前記鑑別部で正券と鑑別された紙幣を一時保留する一時保留部と、
前記各部を接続する搬送路と、
前記一時保留部から鑑別部へ向かう搬送路を形成し、前記搬送路に対して回転支点を中心に開閉可能に設けられた搬送ガイドと、
前記搬送路上の紙幣を移動させる操作ノブと、
開閉機構を有し、前記搬送ガイドを前記回転支点を中心に開くことにより形成された開口部から前記回転支点に向かう方向に設けられた構成要素と、を備え、
前記操作ノブは、前記開口部から前記回転支点に向かう方向にのみ紙幣を移動可能に設けられ、
前記構成要素を開作動させることにより紙幣の除去を可能にしたことを特徴とする紙幣取扱装置。
【発明の詳細な説明】
【技術分野】
【０００１】
本発明は、投入された紙幣を収納し収納した紙幣を繰出す動作を自動で行う紙幣入出金機等の紙幣取扱装置に関する。
【背景技術】
【０００２】
従来の紙幣入出金機は、紙幣を搬送する搬送路を複数のブロックに分け、各ブロックの両端部に設けた紙幣検知センサの間を複数の区域に分割して、それらの区域毎の紙幣残留確率を予め記憶しておき、ブロックの一の端部の紙幣検知センサが紙幣の通過を検知した後に、一定時間経過しても他の端部の紙幣検知センサが紙幣を検知しないことで当該ブロックの搬送路のいずれかの区域に紙幣が残留していることを判定し、記憶した紙幣残留確率の高い区域を表示して係員に報知し、係員は表示された区域を参照して残留紙幣の除去作業を行っている（例えば、特許文献１参照。）。
【先行技術文献】
【特許文献】
【０００３】
【特許文献１】特開２０１０−２３１２８０号公報（段落００１５−００２３、第６図）
【発明の概要】
【発明が解決しようとする課題】
【０００４】
一般に、紙幣入出金機の搬送路は複数に分割され、分割された各搬送路毎に、残留紙幣の除去作業時に紙幣を搬送方向の正逆方向に手動で移動させるための操作ノブが設けられている。
このような分割された搬送路にジャム等の障害により紙幣が残留した場合には、係員は表示された搬送路を解放し、操作ノブを正逆方向に操作して残留紙幣を除去し、除去後に搬送路を閉鎖して残留確認運転を行い、搬送路上の残留紙幣の有無を確認している。
【０００５】
しかしながら、上述した特許文献１の技術においては、残留紙幣の存在が判定された場合に、紙幣残留確率の高い区域を表示して係員に報知しているため、係員は表示された区域の搬送路のみを解放して残留紙幣の除去作業を行おうとするが、例えば、紙幣残留確率の低い区域に残留紙幣が存在している場合において、係員が不用意に操作ノブを操作してしまうと、紙幣残留確率の低い区域に存在する残留紙幣が移動してしまうため、操作ノブの操作では駆動されない隣接したブロックの搬送路との受渡部等に紙幣が噛み込んでしまうことが懸念される。
【０００６】
この場合に、当該紙幣が、ブロック端部の紙幣検知センサが検知できない範囲に停止しており、残留確認運転の際に噛み込んだ紙幣が搬送できない状態のときは、各紙幣検知センサが紙幣の通過を検知しないため、搬送路上に残留紙幣が存在するにもかかわらす、残留紙幣が除去されたものと誤認する場合があるという問題がある。
本発明は、上記の問題点を解決するためになされたもので、操作ノブを用いて残留紙幣を除去する場合に、紙幣の噛み込みを防止する手段を提供することを目的とする。
【課題を解決するための手段】
【０００７】
本発明は、上記課題を解決するために、紙幣取扱装置が、紙幣を搬送する搬送路と、前記搬送路を形成し、前記搬送路に対して回転支点を中心に開閉可能に設けられた搬送ガイドと、前記搬送路上の紙幣を移動させる操作ノブと、開閉機構を有し、前記搬送ガイドを前記回転支点を中心に開くことにより形成された開口部から前記回転支点に向かう方向に設けられた構成要素と、を備え、前記操作ノブは、前記開口部から前記回転支点に向かう方向にのみ紙幣を移動可能に設けられ、前記構成要素を開作動させることにより紙幣の除去を可能にしたことを特徴とする。
【発明の効果】
【０００８】
これにより、本発明は、係員が不用意に操作ノブを操作したとしても、残留紙幣が開口部側に移動することはなく、残留紙幣が受渡部等に噛み込んでしまうことを防止することができるという効果が得られる。
【図面の簡単な説明】
【０００９】
【図１】実施例１の紙幣入出金機を示す説明図
【図２】実施例１の紙幣入出金機の構成を示す説明図
【図３】実施例１の一時保留部と鑑別部との間の搬送路の構成を示す説明図
【図４】図３の搬送路の残留紙幣の除去作業を示す説明図
【図５】図３の搬送路の残留紙幣の除去作業における不具合状態を示す説明図
【図６】実施例２の鑑別部と受渡部との間の搬送路の構成を示す説明図
【図７】図６の搬送路の残留紙幣の除去作業を示す説明図
【図８】図６の搬送路の残留紙幣の除去作業における不具合状態を示す説明図
【発明を実施するための形態】
【００１０】
以下に、図面を参照して本発明による紙幣取扱装置の実施例について説明する。
【実施例１】
【００１１】
以下に、図１ないし図５を用いて本実施例の紙幣入出金機について説明する。
図１において、１は紙幣取扱装置としての紙幣入出金機である。
２は入出金部であり、顧客が投入した紙幣Ｐを受入れる機能、および顧客に支払う紙幣Ｐを集積して顧客に引渡す機能等を有する、紙幣入出金機１の構成要素の一つであって、紙幣入出金機１の前面側に設けられている。
【００１２】
また、入出金部２は、顧客との入出金取引での紙幣Ｐの受入時および引渡時に開閉するスライド式のシャッタ３、顧客が投入した紙幣Ｐを１枚毎に分離して繰出す分離機構を有する繰出口２ａ、および顧客に引渡す出金紙幣や返却紙幣、鑑別部４で金種不明や偽券、外国紙幣等と鑑別された入金リジェクト紙幣等を集積する集積機構を有する集積口２ｂ等を備えている。
【００１３】
鑑別部４は、入金処理時または出金処理時等に受渡口４ａまたは４ｂから搬入された紙幣Ｐに対して各種の鑑別を行う紙幣入出金機１の構成要素の一つであって、紙幣Ｐの真偽や正損、金種等を識別する機能、および連鎖、斜行等の搬送異常を検出して受渡口４ｂまたは４ａから搬出する機能等を有している。
また、鑑別部４は、その上部が、搬送される紙幣Ｐの面に沿った、紙幣Ｐの搬送方向（紙幣搬送方向という。）の直交方向の一方の端部に、紙幣搬送方向と平行に設けられた回転支点を中心に開閉可能に設けられ、上部を開作動させて形成した開口から鑑別部４内の紙幣Ｐの取出しが可能なように構成されている。本実施例では、図２の紙面手前側が開口するよう構成されている（図４等参照）。
【００１４】
５は一時保留部であり、入金処理において入出金部２に投入された紙幣Ｐで、鑑別部４で真券かつ正券と鑑別され、取込処理可能と判定された紙幣Ｐを集積して一時保留する紙幣入出金機１の構成要素の一つであって、紙幣Ｐを１枚毎に分離して繰出す分離機構を有する繰出口５ａ、搬送された紙幣Ｐを集積する集積機構を有する集積口５ｂ等を備えている。
７は紙幣収納部であり、入金された紙幣Ｐ等を金種別に収納する紙幣入出金機１の構成要素の一つとして複数設けられている。
【００１５】
本実施例の紙幣収納部７は４つ設けられ、それぞれに予め収納する紙幣Ｐの金種が設定されており、それぞれ紙幣Ｐを１枚毎に分離して繰出すと共に搬送された紙幣Ｐを集積する分離集積機構を有する繰出集積口７ａを備えている。
８はリジェクト部であり、出金処理時に各紙幣収納部７から繰出され、鑑別部４で重送等の搬送異常と鑑別された出金リジェクト紙幣を収納する紙幣入出金機１の構成要素の一つであって、搬送された紙幣Ｐを集積する集積機構を有する集積口８ａを備えている。
【００１６】
９は取込部であり、入金取引や出金取引時に顧客が取忘れて入出金部２に放置された紙幣Ｐを収納する紙幣入出金機１の構成要素の一つであって、搬送された紙幣Ｐを集積する集積機構を有する集積口９ａ等を備えている。
１１は補充回収カセットであり、紙幣入出金機１へ補充する紙幣Ｐや紙幣入出金機１から回収した紙幣Ｐの運搬に用いる紙幣入出金機１の構成要素の一つであって、その上部には、繰出時に図示しないステージ上に収納された紙幣Ｐを１枚毎に分離して繰出すと共に回収時に搬送された紙幣Ｐを集積する分離集積機構を有する繰出集積口１１ａが設けられており、紙幣入出金機１の後面側に着脱可能に装着される。
【００１７】
１２は補充リジェクト部であり、補充処理時に補充回収カセット１１から繰出され、鑑別部４で重送等の搬送異常や損券等と鑑別された補充時のリジェクト紙幣を収納する収納庫であって、補充回収カセット１１の下部に配置されており、搬送された紙幣Ｐを集積する集積機構を有する集積口１２ａを備えている。
１３は集積部であり、補充回収カセット１１の下部で補充リジェクト部１２の上方に配置され、補充回収カセット１１の繰出集積口１１ａから繰出され、鑑別部４で計数して再び補充回収カセット１１に戻された紙幣Ｐを集積する部位であって、搬送された紙幣Ｐを集積する集積機構を有する集積口１３ａを備えており、補充回収カセット１１に装填された紙幣Ｐの装填枚数を計数するとき等に用いられる。
【００１８】
本実施例の搬送路は、ベルトおよび／もしくはローラで紙幣Ｐの表裏両面を挟持して搬送するよう構成され、上記各構成要素の間を接続して紙幣Ｐを搬送するために、複数に分割して設けられている。
また、搬送路の各分岐部には、図示しない切替ブレード等により紙幣Ｐの搬送方向を切替える切替機構が設けられている。
更に、本実施例の搬送路には、搬送路上に残留した紙幣Ｐの位置が検出できるように、分岐部の周辺や受渡部の近傍に図示しない紙幣検知センサが配置されている。
【００１９】
搬送路２０は、一時保留部５の繰出口５ａと鑑別部４の受渡口４ａとの間を接続する搬送路である。
搬送路２１は、鑑別部４の内部で受渡口４ａと受渡口４ｂとの間を接続する搬送路である。
搬送路２２は、入出金部２の繰出口２ａと、搬送路２０の鑑別部４側に設けられた第１分岐部（図１に円で囲った数字で示す。以下同じ）との間を接続する搬送路である。
【００２０】
搬送路２３は、鑑別部４と一時保留部５とを接続する搬送路であって、搬送路２０の第１分岐部の一時保留部５側に設けられた第２分岐部から分岐して、鑑別部４と一時保留部５との間の中央部下方に設けられた第３分岐部、一時保留部５の後面側下方に設けられた第４分岐部、一時保留部５の後面側上方に設けられた第５分岐部、第５分岐部と入出金部２の集積口２ｂとの間に設けられた第６分岐部を経由して一時保留部５の集積口５ｂに至る搬送路である。
【００２１】
搬送路２４は、鑑別部４の受渡口４ｂから、上部ユニット１ａ（図１に示す破線の上部に配置された各構成要素を含む部位をいう。詳細は後述する。）と、下部ユニット１ｂ（図１に示す破線の下部に配置された各構成要素を含む部位をいう。）との間の受渡部２４ａに至る搬送路である。
搬送路２５は、各紙幣収納部７の上方に配置された、受渡部２４ａから各紙幣収納部７に紙幣Ｐを搬送する搬送路であって、前面側から順に、各紙幣収納部７の繰出集積口７ａに接続する搬送路２５ａへ分岐する第７、第８、第９、第１０分岐部が設けられている。
【００２２】
搬送路２６は、搬送路２３の第６分岐部から入出金部２の集積口２ｂに至る搬送路である。
搬送路２７は、搬送路２５の第９分岐部と第１０分岐部との間に設けられた第１１分岐部と、搬送路２３の第３分岐部との間を接続する搬送路であって、上部ユニット１ａと下部ユニット１ｂとの間に受渡部２７ａが設けられている。
【００２３】
搬送路２８は、搬送路２３の第４分岐部からリジェクト部８の集積口８ａに至る搬送路であって、上部ユニット１ａと下部ユニット１ｂとの間に受渡部２８ａが設けられている他、搬送路２５との接続部に第１２分岐部が設けられ、補充回収カセット１１の集積部１３の集積口１３ａに接続する搬送路２８ｂへ分岐する第１３分岐部、補充回収カセット１１の補充リジェクト部１２の集積口１２ａに接続する搬送路２８ｂへ分岐する第１４分岐部、取込部９の集積口９ａに接続する搬送路２８ｂへ分岐する第１５分岐部が設けられている。
搬送路２９は、搬送路２３の第５分岐部から補充回収カセット１１の繰出集積口１１ａに至る搬送路である。
【００２４】
本実施例の紙幣入出金機１は、図２に示すように、現金自動預払機３５に搭載されており、入出金部２、鑑別部４、一時保留部５、これらの間を接続する搬送路２０、２１、２２、２３、２４等を含む上部ユニット１ａに対して、複数の紙幣収納部７、リジェクト部８、取込部９、補充回収カセット１１、これらの間を接続する搬送路２５、２８等を含む下部ユニット１ｂは、後面側に引出し可能に構成されている（図２に示す矢印参照）。
このため、上部ユニット１ａと下部ユニット１ｂとの間の受渡部２４ａ、２７ａ、２８ａおよび搬送路２９の補充回収カセット１１との受渡部である繰出集積口１１ａは、引出し時に分離可能に構成されている。
【００２５】
以下に、図１を用いて本実施例の紙幣入出金機１による入金処理、出金処理、補充処理、回収処理等の処理動作について説明する。
入金処理の場合は、現金自動預払機３５から入金時の取込指令を受けた紙幣入出金機１は、入出金部２のシャッタ３を解放し、紙幣Ｐが投入されると、シャッタ３を閉鎖して投入された紙幣Ｐを一時保留部５に取込む入金処理の取込処理を行う。
【００２６】
すなわち、紙幣入出金機１は、入出金部２に投入された紙幣Ｐを分離機構により繰出口２ａから搬送路２２に繰出し、搬送路２０を経由して鑑別部４の受渡口４ａへ搬送し、鑑別部４で真券かつ正券と鑑別された紙幣Ｐは、受渡口４ｂから搬送路２４に搬出し、受渡部２４ａ、搬送路２５、受渡部２７ａを含む搬送路２７、搬送路２３を経由して集積口５ｂへ搬送して一時保留部５に集積する。このとき、紙幣入出金機１は鑑別部４によって一時保留部５に集積した紙幣Ｐの金種別の枚数を計数する。
【００２７】
また、鑑別部４で金種不明等によって入金リジェクト紙幣と鑑別された紙幣Ｐは、鑑別部４の受渡口４ｂから搬送路２４に搬出し、受渡部２４ａ、搬送路２５、受渡部２７ａを含む搬送路２７、搬送路２３、搬送路２６を経由して集積口２ｂへ搬送して入出金部２に集積し、シャッタ３を解放して顧客に返却する。
そして、紙幣入出金機１は、鑑別部４で計数した金種別の枚数を基に入金金額を算出して現金自動預払機３５へ通知し、現金自動預払機３５に表示された入金金額が確定されて現金自動預払機３５から収納指令を受けると、確定された紙幣Ｐを収納する入金処理の収納処理を行う。
【００２８】
すなわち、紙幣入出金機１は、一時保留部５に集積されている確定された紙幣Ｐを繰出口５ａから繰出して搬送路２０により鑑別部４の受渡口４ａへ搬送し、鑑別部４で金種を鑑別した後に、鑑別された金種を基に当該金種が設定された紙幣収納部７を特定して受渡口４ｂから搬送路２４に搬出し、受渡部２４ａ、搬送路２５の特定された紙幣収納部７への分岐部、搬送路２５ａを経由して繰出集積口７ａへ搬送して特定された紙幣収納部７に収納する。
【００２９】
また、鑑別部４で搬送異常と鑑別された紙幣Ｐ、および過度の汚れ、過度の損傷等のために出金には用いることができない損券、各紙幣収納庫７に設定されていない金種の紙幣Ｐ等と鑑別された紙幣Ｐは、収納時のリジェクト紙幣として受渡口４ｂから搬送路２４に搬出し、受渡部２４ａ、搬送路２５、搬送路２８を経由して集積口８ａへ搬送してリジェクト部８へ集積する。
更に、現金自動預払機３５における入金金額の表示時に顧客による返却指示が入力された場合は、現金自動預払機３５から返却指令を受けた紙幣入出金機１は、一時保留部５に集積した紙幣Ｐを顧客に返却する入金処理の返却処理を行う。
【００３０】
すなわち、紙幣入出金機１は、一時保留部５に集積されている紙幣Ｐを繰出口５ａから搬送路２６へ繰出し、第２分岐部、第１分岐部、鑑別部４の搬送路２１、搬送路２４、受渡部２４ａ、搬送路２５、受渡部２７ａを含む搬送路２７、搬送路２３、搬送路２６を経由して集積口２ｂへ搬送して入出金部２に集積し、シャッタ３を解放して顧客に返却する。
このようにして、本実施例の紙幣入出金機１による入金処理が行われる。
出金処理の場合は、現金自動預払機３５から出金金額を添付した出金指令を受けた紙幣入出金機１は、収納している紙幣Ｐを顧客に引渡す出金処理を開始する。
【００３１】
すなわち、紙幣入出金機１は、出金金額に相当する紙幣Ｐの金種別の枚数を演算し、該当する金種を収納した紙幣収納部７の繰出集積口７ａからそれぞれ紙幣Ｐを搬送路２５ａに繰出し、搬送方向を入金時の逆方向とした搬送路２５、受渡部２４ａ、搬送路２４を経由して鑑別部４の受渡口４ｂへ搬送し、鑑別部４で正券と鑑別された紙幣Ｐは、受渡口４ａから搬送路２０に搬出し、搬送路２３、搬送路２６を経由して集積口２ｂに搬送して入出金部２に集積する。このとき、紙幣入出金機１は鑑別部４によって入出金部２に集積した紙幣Ｐの金種別の枚数を計数する。
【００３２】
また、鑑別部４で搬送異常と鑑別された出金リジェクト紙幣は、受渡口４ａから搬送路２０に搬出し、搬送路２３、受渡部２８ａを含む搬送路２８を経由して集積口８ａへ搬送してリジェクト部８へ集積する。
そして、紙幣入出金機１は、出金金額に相当する紙幣Ｐの入出金部２への集積を終えると、入出金部２のシャッタ３を開放して顧客に紙幣Ｐを引渡し、顧客の受取りを確認して出金処理を終了させる。
【００３３】
このとき、紙幣入出金機１が図示しないセンサにより入出金部２に集積した紙幣Ｐの取忘れを検知した場合は、紙幣入出金機１は、入出金部２のシャッタ３を閉鎖して取忘れられた紙幣Ｐを繰出口２ａから搬送路２２に繰出し、搬送路２０、鑑別部４の搬送路２１、搬送路２４、受渡部２４ａ、搬送路２５、搬送路２８、搬送路２８ｂを経由して集積口９ａへ搬送して取込部９に収納し、出金処理を終了させる。
【００３４】
このようにして、本実施例の紙幣入出金機１による出金処理が行われる．
紙幣入出金機１に装着された補充回収カセット１１から紙幣Ｐを補充する場合は、現金自動預払機３５から補充指令を受けた紙幣入出金機１は、補充回収カセット１１に装填された紙幣Ｐを各紙幣収納部７に補充する補充処理を行う。
【００３５】
すなわち、紙幣入出金機１は、補充回収カセット１１の紙幣Ｐを、上部の分離集積機構により繰出集積口１１ａから搬送路２９に繰出し、搬送方向を入金時の逆方向とした搬送路２３、搬送路２０を経由して鑑別部４の受渡口４ａへ搬送し、鑑別部４で金種を鑑別した後に、鑑別された金種を基に当該金種が設定された紙幣収納部７を特定して受渡口４ｂから搬送路２４に搬出し、受渡部２４ａ、搬送路２５の特定された紙幣収納部７への分岐部、搬送路２５ａを経由して繰出集積口７ａへ搬送して特定された紙幣収納部７に収納する。
【００３６】
また、鑑別部４で搬送異常等と鑑別された紙幣Ｐは、補充時のリジェクト紙幣として受渡口４ｂから搬送路２４に搬出し、受渡部２４ａ、搬送路２５、搬送路２８、搬送路２８ｂを経由して集積口１２ａへ搬送して補充回収カセット１１の補充リジェクト部１２へ集積する。
このようにして、本実施例の紙幣入出金機１による補充処理が行われる。
紙幣入出金機１に装着された補充回収カセット１１へ紙幣Ｐを回収する場合は、現金自動預払機３５から回収指令を受けた紙幣入出金機１は、各紙幣収納部７に収納されている紙幣Ｐを補充回収カセット１１に回収する回収処理を行う。
【００３７】
すなわち、紙幣入出金機１は、一つの紙幣収納部７の繰出集積口７ａから収納されている紙幣Ｐを搬送路２５ａに繰出し、搬送方向を入金時の逆方向とした搬送路２５、受渡部２４ａ、搬送路２４、鑑別部４の搬送路２１、搬送路２０、搬送路２３、搬送路２９を経由して繰出集積口１１ａに搬送して補充回収カセット１１に集積し、前記処理動作を他の紙幣収納部７に対しても繰返し、各紙幣収納部７に収納されている紙幣Ｐを補充回収カセット１１に回収する。
【００３８】
このようにして、本実施例の紙幣入出金機１による回収処理が行われる。
紙幣入出金機１に装着された補充回収カセット１１に装填された紙幣Ｐの装填枚数を計数する場合は、現金自動預払機３５から装填枚数計数指令を受けた紙幣入出金機１は、補充回収カセット１１に装填された紙幣Ｐの装填枚数を計数する装填枚数計数処理を行う。
【００３９】
すなわち、紙幣入出金機１は、補充回収カセット１１に装填されている紙幣Ｐを繰出集積口１１ａから搬送路２９に繰出し、搬送方向を入金時の逆方向とした搬送路２３、搬送路２０を経由して鑑別部４の受渡口４ａへ搬送し、鑑別部４で金種を鑑別した後に、受渡口４ｂから搬送路２４に搬出し、受渡部２４ａ、搬送路２５、搬送路２８、搬送路２８ｂを経由して集積口１３ａへ搬送して補充回収カセット１１の集積部１３に集積する。このとき、紙幣入出金機１は鑑別部４によって集積部１３に集積した紙幣Ｐの金種別の枚数を計数する。
【００４０】
このようにして、本実施例の紙幣入出金機１による補充回収カセット１１の装填枚数計数処理が行われる。
上記のようにして、入金処理や出金処理等が実行されている場合に、一時保留部５と鑑別部４との間を接続する搬送路２０において、ジャム等の障害により紙幣Ｐの残留が発生した場合の当該紙幣Ｐの除去作業等について、図３ないし図５を用いて説明する。
本実施例の搬送路２０は、図３に示す構成を備えている。
【００４１】
図３において、４０は操作ノブであり、搬送路２０上に存在する紙幣Ｐを手動で移動させるときに回転操作するノブであって、搬送路２０の鑑別部４の受渡口４ａの口元近傍に設けられており、図３に示す矢印Ａ方向にのみ回転可能に構成され、その逆方向である反Ａ方向へは空転するように構成されている。
つまり、本実施例の操作ノブ４０は、矢印Ａ方向に回転させたときのみ、搬送路２０上の紙幣Ｐを鑑別部４の方向に移動させるように搬送路２０のベルトおよび／もしくはローラを駆動し、反Ａ方向に回転させても搬送路２０を駆動しないように構成されている。
【００４２】
搬送ガイド４２ａ、４２ｂは、一時保留部５の繰出口５ａの口元から第２分岐部までの間の搬送路２０を挟んで対向配置され、搬送路２０の当該部分を搬送される紙幣Ｐの搬送を案内するガイド部材である。
オープンガイドとしての搬送ガイド４２ａは、一時保留部５の口元に取付けられ、操作ノブ４０の近傍に設けられた、搬送される紙幣Ｐの面に沿った紙幣搬送方向の直交方向の回転支点を中心に開閉可能に構成されており、一時保留部５を上方へ回動させたときに、共に上方へ回動する。
【００４３】
オープンガイドとしての搬送ガイド４２ｂは、一時保留部５の反対側の端部に設けられた、搬送される紙幣Ｐの面に沿った紙幣搬送方向の直交方向の回転支点を中心に開閉可能に構成されており、一時保留部５と共に搬送ガイド４２ａを上方へ回動させたときに、下方へ回動し、搬送ガイド４２ａ、４２ｂの一時保留部５側に開口部４３を形成する（図４参照）。
【００４４】
搬送ガイド４２ｃ、４２ｄは、鑑別部４の受渡口４ａの口元から第１分岐部までの間の搬送路２０を挟んで対向配置されたガイド部材であって、受渡口４ａの口元にそれぞれ取付けられており、搬送路２２により入出金部２から第１分岐部まで搬送された紙幣Ｐを受渡口４ａへ案内する。
搬送ガイド４２ｅ、４２ｆは、第２分岐部側の搬送路２３を挟んで対向配置されたガイド部材であって、紙幣入出金機１の装置本体に取付けられており、搬送路２０により第２分岐部まで搬送された紙幣Ｐを搬送路２３の方向へ案内する。
【００４５】
上記の構成の搬送路２０を有する紙幣入出金機１において、図示しない紙幣検知センサが紙幣Ｐの通過を検知しないことによって、搬送路上に残留する紙幣Ｐを検出すると、紙幣入出金機１は搬送路２０等の全ての搬送路を停止させた後に、保守を担当する係員に残留紙幣が存在する旨と、障害が発生した搬送路の部位を報知する。
【００４６】
例えば、図３に示すように搬送路２０の途中に紙幣Ｐが残留している場合は、係員は、図４（ａ）に示すように、一時保留部５を持ち上げ、搬送ガイド４２ａ、４２ｂをそれぞれ上方、下方に回動させて開口部４３を形成すると共に鑑別部４の上部を開作動させて紙幣Ｐの残留状態を確認し、当該紙幣Ｐが、搬送ガイド４２ｂ上に停止しているときは、開口部４３から直接除去し（図４（ａ）に破線で示す矢印参照）、他の紙幣Ｐの不存在を確認して一時保留部５を押し下げて搬送ガイド４２ａ、４２ｂを閉作動させると共に鑑別部４の上部を閉作動させて搬送路２０および鑑別部４を元の状態に戻す。
【００４７】
また、残留状態の確認の際に、当該紙幣Ｐが搬送ガイド４２ｃ、４２ｂ間等の前記以外の他の搬送路に停止していた場合は、操作ノブ４０をＡ方向に回転させて、当該紙幣Ｐを開口部４３から離れる方向に移動させて鑑別部４内に導き、鑑別部４の上部の開作動により形成された開口から当該紙幣Ｐを取出して除去し（図４（ｂ）に破線で示す矢印参照）、他の紙幣Ｐの不存在を確認して一時保留部５を押し下げて搬送ガイド４２ａ、４２ｂを閉作動させると共に鑑別部４の上部を閉作動させて搬送路２０および鑑別部４を元の状態に戻す。
そして、係員は、搬送路２０等を元の状態に戻した後に、紙幣入出金機１の搬送路２０等の全ての搬送路を駆動して残留確認運転を行い、全ての紙幣検知センサが紙幣Ｐの通過を検出しないことによって、搬送路上の紙幣Ｐの不存在を確認し、残留紙幣の除去作業を終了する。
【００４８】
上記のように、本実施例では、残留紙幣の除去作業時に操作する操作ノブ４０を、搬送ガイド４２ａ、４２ｂの回動により形成された開口部４３から離れる方向にのみ紙幣Ｐの移動が可能なように構成しているが、仮に、操作ノブ４０を、図５（ａ）に示すように、図３における反Ａ方向にも操作可能として、紙幣Ｐの開口部４３の方向への移動を可能にすると、つまり紙幣Ｐの正逆両方向への移動を可能にすると、残留紙幣の除去作業時に、係員が搬送ガイド４２ｂ近傍に残留している紙幣Ｐを認識しないで、操作ノブ４０を不用意に反Ａ方向に操作してしまうと、当該紙幣Ｐは開口部４３の方向に移動してしまうため（図５（ａ）に太い破線で示した矢印参照）、開口部４３からはみ出した状態になる。
【００４９】
仮に、このはみ出した状態の紙幣Ｐに気付かずに一時保留部５を閉作動させてしまうと、図５（ｂ）に示すように、当該紙幣Ｐが、搬送路２０に設けられた図示しない紙幣検知センサの検知領域外で、一時保留部５と搬送ガイド４２ｂとの間に噛み込んだ状態になり、残留確認運転により搬送路を駆動したとしても、噛み込んだ紙幣Ｐが搬送されず、各紙幣検知センサが紙幣の通過を検知しないため、残留紙幣が除去されたものと誤認してしまい、その後に、紙幣入出金機１の運用を開始すると、搬送路２０において再びジャム等の障害が発生し、運用を中止しなければならなくなる。
【００５０】
この点、本実施例では上記のように、残留紙幣の除去作業時に操作する操作ノブ４０を、オープンガイドである搬送ガイド４２ａ、４２ｂの回動により形成された開口部４３から離れる方向にのみ紙幣Ｐの移動が可能なように構成したので、仮に、係員が不用意に操作ノブ４０を操作したとしても、残留紙幣が開口部４３側に移動することはなく、残留紙幣が開口部４３からはみ出すことがなくなるため、一時保留部５の閉作動時に生じる紙幣Ｐの噛み込みを防止することができる。
【００５１】
なお、本実施例では、一時保留部５と鑑別部４との間を接続する搬送路２０の近傍に紙幣Ｐが残留した場合を例に説明したが、他の比較的短い（紙幣Ｐの短手長さの２〜３倍程度）搬送路、例えば、各紙幣収納部７に接続する搬送路２５ａや取込部９等に接続する搬送路２８ｂ等の近傍に紙幣Ｐが残留した場合も同様である。この場合において、当該搬送路にオープンガイドを設けるときは、それぞれの集積口等の反対側に開口部を形成するようにして、操作ノブはその開口部から離れる方向にのみ紙幣Ｐを移動させるようにするとよい。
【実施例２】
【００５２】
以下に、図６ないし図８を用いて本実施例の紙幣入出金機について説明する。なお上記実施例１と同様の部分は、同一の符号を付してその説明を省略する。
本実施例の鑑別部４の受渡口４ｂと搬送路２５への受渡部２４ａとの間を接続する搬送路２４は、図６に示す構成を備えている。
図６において、４５は操作ノブであり、搬送路２４上に存在する紙幣Ｐを手動で移動させるときに回転操作するノブであって、搬送路２４の鑑別部４の受渡口４ｂの口元近傍に設けられており、図６に示す矢印Ｂ方向にのみ回転可能に構成され、その逆方向である反Ｂ方向へは空転するように構成されている。
【００５３】
つまり、本実施例の操作ノブ４５は、矢印Ｂ方向に回転させたときのみ、搬送路２４上の紙幣Ｐを鑑別部４の方向に移動させるように搬送路２４のベルトおよび／もしくはローラを駆動し、反Ｂ方向に回転させても搬送路２４を駆動しないように構成されている。
搬送ガイド４６ａ、４６ｂは、鑑別部４の受渡口４ｂの口元から受渡部２４ａまでの間の搬送路２４の一方の側で紙幣Ｐの搬送を案内するガイド部材である。
搬送ガイド４６ｃは、鑑別部４の受渡口４ｂの口元から受渡部２４ａまでの間の搬送路２４を挟んで搬送ガイド４６ａ、４６ｂに対向配置されたガイド部材であって、紙幣入出金機１の装置本体に取付けられており、搬送路２４の他方の側で紙幣Ｐの搬送を案内する。
【００５４】
搬送ガイド４６ａは、鑑別部４の受渡口４ｂの口元近傍に位置するように、紙幣入出金機１の装置本体に取付けられており、搬送路２４の当該部分を搬送される紙幣Ｐの搬送を案内する。
オープンガイドとしての搬送ガイド４６ｂは、搬送ガイド４６ａを挟んで鑑別部４の反対側に配置され、その搬送ガイド４６ａとの接続部に設けられた、搬送される紙幣Ｐの面に沿った紙幣搬送方向の直交方向の回転支点を中心に開閉可能に構成されており、搬送ガイド４６ｂを上方へ回動させたときに、搬送ガイド４６ｂの鑑別部４の反対側に搬送ガイド４６ｃとの間の開口部４７が形成される（図７参照）。
【００５５】
上記の構成の搬送路２４を有する紙幣入出金機１において、鑑別部４と搬送路２５への受渡部２４ａの間を接続する搬送路２４において、ジャム等の障害により紙幣Ｐの残留が発生した場合の当該紙幣Ｐの除去作業について、図６ないし図８を用いて説明する。
紙幣入出金機１は、紙幣検知センサが紙幣Ｐの通過を検知しないことによって、搬送路上に残留する紙幣Ｐを検出すると、搬送路２０等の全ての搬送路を停止させた後に、保守を担当する係員に残留紙幣が存在する旨と、障害が発生した搬送路の部位を報知する。
【００５６】
例えば、図６に示すように搬送路２４の途中に紙幣Ｐが残留している場合は、係員は、図７（ａ）に示すように、搬送ガイド４６ｂを上方に回動させて開口部４７を形成すると共に、鑑別部４の上部を開作動させて紙幣Ｐの残留状態を確認し、当該紙幣Ｐが、搬送ガイド４６ｂ近傍に停止しているときは、開口部４７から直接除去し（図７（ａ）に破線で示す矢印参照）、他の紙幣Ｐの不存在を確認して搬送ガイド４６ｂを閉作動させると共に鑑別部４の上部を閉作動させて搬送路２４および鑑別部４を元の状態に戻す。
【００５７】
また、残留状態の確認の際に、当該紙幣Ｐが搬送ガイド４６ａと搬送ガイド４６ｃとの間の搬送路に停止していた場合は、操作ノブ４５をＢ方向に回転させて、当該紙幣Ｐを開口部４７から離れる方向に移動させて鑑別部４内に導き、鑑別部４の上部の開作動により形成された開口から当該紙幣Ｐを取出して除去し（図７（ｂ）に破線で示す矢印参照）、他の紙幣Ｐの不存在を確認して搬送ガイド４６ｂを閉作動させると共に鑑別部４の上部を閉作動させて搬送路２４および鑑別部４を元の状態に戻す。
そして、係員は、搬送路２４等を元の状態に戻した後に、紙幣入出金機１の搬送路２４等の全ての搬送路を駆動して残留確認運転を行い、全ての紙幣検知センサが紙幣Ｐの通過を検出しないことによって、搬送路上の紙幣Ｐの不存在を確認し、残留紙幣の除去作業を終了する。
【００５８】
上記のように、本実施例では、残留紙幣の除去作業時に操作する操作ノブ４５を、搬送ガイド４６ｂの回動により形成された開口部４７から離れる方向にのみ紙幣Ｐの移動が可能なように構成しているが、仮に、操作ノブ４５を、図８に示すように、図６における反Ｂ方向にも操作可能として、紙幣Ｐの開口部４７の方向への移動を可能にすると、つまり紙幣Ｐの正逆両方向への移動を可能にすると、残留紙幣の除去作業時に、係員が搬送ガイド４６ｂ近傍に残留している紙幣Ｐを認識しないで、操作ノブ４５を不用意に反Ｂ方向に操作してしまうと、当該紙幣Ｐは、受渡部２４ａの方向に移動してしまうため（図８に太い破線で示した矢印参照）、受渡部２４ａおよび／もしくはこれに接続する搬送路２５に噛み込んだ状態になる。
【００５９】
仮に、この噛み込んだ状態の紙幣Ｐに気付かずに、下部ユニット１ｂを後面側に引出すと、当該紙幣Ｐが破損してしまい、当該紙幣Ｐの修復が不可能になる。
また、当該紙幣Ｐが破損せずに落下してしまった場合は、当該紙幣の回収に時間を要し、残留紙幣の除去作業における作業効率が低下してしまうことになる。
【００６０】
この点、本実施例では上記のように、残留紙幣の除去作業時に操作する操作ノブ４５を、オープンガイドである搬送ガイド４６ｂの回動により形成された開口部４７から離れる方向にのみ紙幣Ｐの移動が可能なように構成したので、仮に、係員が不用意に操作ノブ４５を操作したとしても、残留紙幣が開口部４７側、つまり受渡部２４ａ側に移動することはなく、残留紙幣が受渡部２４ａや搬送路２５に噛み込んでしまうことがなくなるため、下部ユニット１ｂの引出し時に生じる紙幣Ｐの破損や落下を防止することができる。
【００６１】
なお、本実施例では、受渡部２４ａの近傍に紙幣Ｐが残留した場合を例に説明したが、他の受渡部２７ａ、受渡部２８ａの近傍に紙幣Ｐが残留した場合も同様である。この場合において、当該搬送路にオープンガイドを設けるときは、受渡部側に開口部を形成するようにして、操作ノブはその開口部から離れる方向にのみ紙幣Ｐを移動させるようにするとよい。
【符号の説明】
【００６２】
１    紙幣入出金機
２    入出金部
２ａ、５ａ  繰出口
２ｂ、５ｂ、８ａ、９ａ、１２ａ、１３ａ  集積口
３    シャッタ
４    鑑別部
４ａ、４ｂ  受渡口
５    一時保留部
７    紙幣収納部
７ａ、１１ａ  繰出集積口
８    リジェクト部
９    取込部
１１  補充回収カセット
１２  補充リジェクト部
１３  集積部
２０〜２９、２５ａ、２８ｂ  搬送路
２４ａ、２７ａ、２８ａ  受渡部
３５  現金自動預払機
４０、４５  操作ノブ
４２ａ〜４２ｆ、４６ａ〜４６ｃ  搬送ガイド
４３、４７  開口部
【図１】
0006557964.tif 000002
【図２】
0006557964.tif 000003
【図３】
0006557964.tif 000004
【図４】
0006557964.tif 000005
【図５】
0006557964.tif 000006
【図６】
0006557964.tif 000007
【図７】
0006557964.tif 000008
【図８】
0006557964.tif 000009